(57)【要約】【課題】  深夜や遠隔地等の理由により技術者が現場に容易に行くことが出来ない場合でもネットワークを介してホームネットワーク機器から様々な情報を取得し、さらに遠隔操作可能なケーブルテレビ回線用ホームターミナルの遠隔操作方法を提供すること。【解決手段】  ケーブルテレビ用ホームターミナルと、前記ケーブルテレビ用ホームターミナルを制御するための遠隔制御モジュールとを有するケーブルテレビ回線の遠隔操作方法であって、前記遠隔制御モジュールはネットワーク制御部を介してネットワークと接続され、ネットワーク上に接続されている電子計算機から操作されること。【選択図】  図２
2005223952.tif 000002
【特許請求の範囲】
【請求項１】
ケーブルテレビ用ホームターミナルと、
前記ケーブルテレビ用ホームターミナルを制御するための遠隔制御モジュールとを有するケーブルテレビ回線用ホームターミナルの遠隔操作方法であって、
前記遠隔制御モジュールはネットワーク制御部を介してネットワークと接続され、
ネットワーク上に接続されている電子計算機から操作されることを特徴とするケーブルテレビ回線用ホームターミナルの遠隔操作方法。
【請求項２】
請求項１に記載のケーブルテレビ回線用ホームターミナルの遠隔操作方法において、
ネットワーク上にストリーミングサーバと、
前記ケーブルテレビ用ホームターミナルが受信した映像をストリーミングサーバに送信する手段を有し、
映像をネットワーク上に接続されている電子計算機へ配信することを特徴とするケーブルテレビ回線用ホームターミナルの遠隔操作方法。
【請求項３】
前記遠隔制御モジュールはＡ／Ｄ変換入力部を有することを特徴とする請求項１又は２に記載のケーブルテレビ回線用ホームターミナルの遠隔操作方法。
【発明の詳細な説明】
【技術分野】
【０００１】
本発明は、ケーブルテレビ回線用ホームターミナルの遠隔操作方法に係り、特にネットワーク上から操作可能なホームターミナルモジュール及びそれを用いたケーブルテレビ回線用ホームターミナルの遠隔操作方法に関する。
【背景技術】
【０００２】
【特許文献１】特願２００２−３４０２３  従来、ケーブルテレビ用のホームネットワーク機器の遠隔操作には赤外線などを用いたリモコン（リモートコントローラー）などが一般的に使用されていた。
【０００３】
しかしながら、このような遠隔操作方法はその遠隔操作範囲が限られているため、例えば深夜や遠隔地で障害が発生し、技術者が容易に現場に行くことができない場合に技術者がその画面を見て確認する等ということは出来なかった。
【発明の開示】
【発明が解決しようとする課題】
【０００４】
本発明は、深夜や遠隔地等の理由により技術者が現場に容易に行くことが出来ない場合でもネットワークを介してホームネットワーク機器から様々な情報を取得し、さらに遠隔操作可能なケーブルテレビ回線用ホームターミナルの遠隔操作方法を提供することを目的としている。
【課題を解決するための手段】
【０００５】
本発明のケーブルテレビ回線用ホームターミナルの遠隔操作方法は、ケーブルテレビ用ホームターミナルと、前記ケーブルテレビ用ホームターミナルを制御するための遠隔制御モジュールとを有するケーブルテレビ回線の遠隔操作方法であって、前記遠隔制御モジュールはネットワーク制御部を介してネットワークと接続され、ネットワーク上に接続されている電子計算機から操作されることを特徴とする。
【０００６】
また、上述のケーブルテレビ回線の遠隔操作方法において、ネットワーク上にストリーミングサーバと、前記ケーブルテレビ用ホームターミナルが受信した映像をストリーミングサーバに送信する手段を有し、映像を配信することが好ましい。
【０００７】
前記遠隔制御モジュールはＡ／Ｄ変換入力部を有することが好ましい。
【発明の効果】
【０００８】
本発明のケーブルテレビ回線用ホームターミナルの遠隔操作方法を用いることにより、深夜や遠隔地等の理由により技術者が現場に容易に行くことが出来ない場合でもネットワークを介してホームネットワーク機器から様々な情報（ホームターミナルが受信している映像、受信信号強度等）を取得し、容易にそのホームターミナルの状態や回線の状況を把握することができる。
【発明を実施するための最良の形態】
【０００９】
以下、本発明に係る実施の形態を、図を用いて説明する。
【実施例１】
【００１０】
図１は本発明の第１の実施例を示す図である。
【００１１】
図１においてケーブルテレビ用ホームターミナル１００は、ホームターミナルのスイッチング制御部１０１とホームターミナルの遠隔操作用モジュール１１０を備えており、ホームターミナルの遠隔操作用モジュール１１０はＩ／Ｏ制御部１１１とネットワークインターフェース１１２を備え、コンピュータネットワークに接続されている。
【００１２】
そして、このコンピュータネットワーク上には遠隔操作を行うためのコンピュータ端末２００が接続されている。
【００１３】
コンピュータ端末２００はＷＷＷブラウザなどを用いてホームターミナルの遠隔操作用モジュール１１０に接続することができ、遠隔地からホームターミナルのチャンネルなどのスイッチを変更することが可能となる。
【実施例２】
【００１４】
図２は本発明の第２の実施例を示す図である。
【００１５】
実施例１と同様にケーブルテレビ用ホームターミナル１００は、ホームターミナルのスイッチング制御部１０１とホームターミナルの遠隔操作用モジュール１１０を備えており、ホームターミナルの遠隔操作用モジュール１１０はＩ／Ｏ制御部１１１とネットワークインターフェース１１２を備え、コンピュータネットワークに接続されている。
【００１６】
そして、このコンピュータネットワーク上には遠隔操作を行うためのコンピュータ端末２００とストリーミングサーバ３００が接続されている。
【００１７】
コンピュータ端末２００は実施例１と同様にＷＷＷブラウザなどを利用してホームターミナルの遠隔操作用モジュールに接続しホームターミナルのチャンネルなどのスイッチを変更することが可能である。
【００１８】
ここで、ホームターミナル１００が受信しているケーブルテレビの映像を参照する場合、ホームターミナルが受信した映像をビデオキャプチャ部１０２及びオーディオキャプチャ１０３からストリーミングサーバ３００へ送信する。
【００１９】
ストリーミングサーバ３００は受信した映像を一度スプールし、インターネットを介してコンピュータ端末２００へ送信する。
【００２０】
また、遠隔操作用モジュール１１０にＡ／Ｄ変換入力部を設けることにより、ＡＧＣ出力を電圧からデシベルに変換を行うことができるため、ホームターミナルの状態を把握することが可能となる。
【産業上の利用可能性】
【００２１】
本発明のケーブルテレビ回線用ホームターミナルの遠隔操作方法を用いることにより、深夜や遠隔地等の理由により技術者が現場に容易に行くことが出来ない場合でもネットワークを介してホームネットワーク機器から様々な情報（ホームターミナルが受信している映像、受信信号強度等）を取得し、容易にそのホームターミナルの状態や回線の状況を把握することができる。
【図面の簡単な説明】
【００２２】
【図１】本発明の第１の実施例を示す概略図である。
【図２】本発明の第２の実施例を示す概略図である。
【符号の説明】
【００２３】
１００  ケーブルテレビ用ホームターミナル
１０１  ホームターミナルのスイッチング制御部
１０２、３０２  ビデオキャプチャ部
１０３、３０３  オーディオキャプチャ部
１１０  ホームターミナルの遠隔操作用モジュール
１１１  Ｉ／Ｏ制御部
１１２  ネットワークインターフェース
２００  コンピュータ端末
３００  ストリーミングサーバ
【図１】
2005223952.tif 000003
【図２】
2005223952.tif 000004